(57)【要約】【課題】利用者が、印字処理前に、所望の印刷結果が得られるかどうか、所望通りでない場合における変更点を、確認／選択することを可能にし、変換処理による印刷ミスを無くす。【解決手段】印刷ジョブに関する情報である印刷ジョブ定義データと、印刷処理の対象となる電子的な文書データであるコンテンツデータとを含む印刷データを入力し、印刷装置を制御する印刷制御システムであって、入力された印刷データを、印刷ジョブ定義データとコンテンツデータとに分離するデータ分離部１１と、印刷ジョブ定義データを、印刷装置を設定する際に用いるデータの候補として、複数の印刷装置設定データに変換する印刷装置設定データ変換部１３と、印刷装置設定データ変換部１３によって変換された複数の印刷装置設定データを利用者が確認して選択できるように提示する変換候補選択部１４と、各処理部及び印刷装置への出力を制御する制御部１１とを備える。【選択図】図１
2008134872.tif 000002
【特許請求の範囲】
【請求項１】
印刷ジョブに関する情報である印刷ジョブ定義データと、印刷処理の対象となる電子的
な文書データであるコンテンツデータとを含む印刷データを入力し、印刷装置を制御する
印刷制御システムであって、
入力された印刷データを、印刷ジョブ定義データとコンテンツデータとに分離するデー
タ分離部と、
前記印刷ジョブ定義データを、印刷装置を設定する際に用いるデータの候補として、複
数の印刷装置設定データに変換する印刷装置設定データ変換部と、
前記印刷装置設定データ変換部によって変換された複数の印刷装置設定データを利用者
が確認して選択できるように提示する変換候補選択部と、
前記データ分離部、前記印刷装置設定データ変換部、及び前記変換候補選択部の各部の
動作及び前記印刷装置への出力を制御する制御部と、
を備えたことを特徴とする印刷制御システム。
【請求項２】
前記印刷装置設定データ変換部は、前記複数の印刷装置設定データの中から元仕様に近
い候補として複数の代替候補を選択することを特徴とする、請求項１に記載の印刷制御シ
ステム。
【請求項３】
前記印刷装置設定データ変換部は、前記複数の代替候補を選択する際、前記複数の印刷
装置設定データの元仕様に対する所定の評価値を算出し、前記所定の評価値に基づいて前
記元仕様に近いものを代替候補として選択することを特徴とする請求項２に記載の印刷制
御システム。
【請求項４】
前記変換候補選択部は、前記複数の代替候補に係る印刷装置設定データと、前記元仕様
に基づいて変換された印刷装置設定データとを比較するための差異情報を提示することを
特徴とする請求項３に記載の印刷制御システム。
【請求項５】
前記差異情報は、文字情報、イメージ図、または動画のいずれの組み合わせによっても
提示可能であることを特徴とする請求項４に記載の印刷制御装置。
【請求項６】
前記差異情報は、前記差異情報以外の付随情報をさらに提示可能であることを特徴とす
る請求項４または５に記載の印刷制御システム。
【請求項７】
前記付随情報は、後工程で必要となる追加の作業内容を示す後工程情報、及び注意点を
含むことを特徴とする請求項６に記載の印刷制御システム。
【請求項８】
印刷ジョブに関する情報である印刷ジョブ定義データと、印刷処理の対象となる電子的
な文書データであるコンテンツデータとを含む印刷データを入力し、印刷装置を制御する
印刷制御装置であって、
入力された印刷データを、印刷ジョブ定義データとコンテンツデータとに分離するデー
タ分離部と、
前記印刷ジョブ定義データを、印刷装置を設定する際に用いるデータの候補として、複
数の印刷装置設定データに変換する印刷装置設定データ変換部と、
前記印刷装置設定データ変換部によって変換された複数の印刷装置設定データを利用者
が確認して選択できるように提示する変換候補選択部と、
前記データ分離部、前記印刷装置設定データ変換部、及び前記変換候補選択部の各部の
動作及び前記印刷装置への出力を制御する制御部と、
を備えたことを特徴とする印刷制御装置。
【請求項９】
印刷ジョブに関する情報である印刷ジョブ定義データと、印刷処理の対象となる電子的
な文書データであるコンテンツデータとを含む印刷データを入力し、印刷装置を制御する
印刷制御方法であって、
入力された印刷データを、印刷ジョブ定義データとコンテンツデータとに分離するデー
タ分離ステップと、
前記印刷ジョブ定義データを、印刷装置を設定する際に用いるデータの候補として、複
数の印刷装置設定データに変換する印刷装置設定データ変換ステップと、
前記印刷装置設定データ変換ステップによって変換された複数の印刷装置設定データを
利用者が確認して選択できるように提示する変換候補選択ステップと、
前記データ分離ステップ、前記印刷装置設定データ変換ステップ、及び前記変換候補選
択ステップの各部の動作及び前記印刷装置への出力を制御する制御ステップと、
を含むことを特徴とする印刷制御方法。
【請求項１０】
印刷ジョブに関する情報である印刷ジョブ定義データと、印刷処理の対象となる電子的
な文書データであるコンテンツデータとを含む印刷データを入力し、印刷装置を制御する
印刷制御プログラムであって、
入力された印刷データを、印刷ジョブ定義データとコンテンツデータとに分離するデー
タ分離手段、
前記印刷ジョブ定義データを、印刷装置を設定する際に用いるデータの候補として、複
数の印刷装置設定データに変換する印刷装置設定データ変換手段、
前記印刷装置設定データ変換手段によって変換された複数の印刷装置設定データを利用
者が確認して選択できるように提示する変換候補選択手段、及び
前記データ分離手段、前記印刷装置設定データ変換手段、及び前記変換候補選択手段の
各部の動作及び前記印刷装置への出力を制御する制御手段として実現される処理をコンピ
ュータに実行させるためのプログラムであることを特徴とする印刷制御プログラム。
【請求項１１】
請求項１０に記載の印刷制御プログラムを記録したことを特徴とする記録媒体。
【発明の詳細な説明】
【技術分野】
【０００１】
本発明は、印刷ジョブに関する情報である印刷ジョブ定義データを扱う印刷制御システ
ム、印刷制御装置、印刷制御方法、印刷制御プログラム、及び記録媒体に関する。
【背景技術】
【０００２】
一般に、ＰｏｓｔＳｃｒｉｐｔ（米国Ａｄｏｂｅ  Ｓｙｓｔｅｍｓ社の商標）などのペ
ージ記述言語（ＰＤＬ：Ｐａｇｅ  Ｄｅｓｃｒｉｐｔｉｏｎ  Ｌａｎｇｕａｇｅ）による
印刷データをプリントする際、印刷ジョブに関する情報を印刷ジョブ定義データ（ＤＰＡ
（Ｄｏｃｕｍｅｎｔ  Ｐｒｉｎｔｉｎｇ  Ａｐｐｌｉｃａｔｉｏｎ）、ＪＤＦ（Ｊｏｂ  
Ｄｅｆｉｎｉｔｉｏｎ  Ｆｏｒｍａｔ）等として扱い、印刷制御する方法が知られている
。
【０００３】
印刷ジョブ定義データは、印刷ジョブ仕様データと印刷ジョブ設定データとからなり、
印刷ジョブ仕様データは、印刷仕様情報ともいい、印刷処理によって最終成果物として所
望する印刷物の仕様が記載された情報を言う。印刷ジョブ設定データは、印刷設定情報と
もいい、印刷処理に用いる印刷装置の詳細な設定情報を言い、印刷設定情報に含まれる設
定情報の中には、印刷仕様情報と重複する情報もある。
【０００４】
しかしながら、印刷ジョブ定義データは、印刷物の仕上がりを意図した設定情報、例え
ば、用紙サイズでは、仕上がり用紙サイズは後工程（折り、裁断）を経た後の最終的な印
刷物の用紙サイズであるため、印刷時における給紙用紙サイズ等とは必ずしも一致しない
。
そこで、印刷ジョブ定義データに含まれる印刷ジョブ仕様データや印刷ジョブ設定デー
タを、印刷時に必要な印刷装置設定データに変換する必要がある。
【０００５】
上述した印刷ジョブ定義データを扱う印刷制御装置として、特許文献１記載の発明は、
印刷制御装置のＰＤＬ（Ｐａｇｅ  Ｄｅｓｃｒｉｐｔｉｏｎ  Ｌａｎｇｕａｇｅ）処理手
段が処理できるＰＤＬ以外の形式で表されたデータに従って、印刷制御装置のＰＤＬ処理
手段の内部状態を設定可能とするもので、クライアント装置は、既存のＰＤＬデータに対
し、新たな印刷設定を示したＤＰＡデータを付加したジョブをプリントサーバに送信する
。プリントサーバのコントローラは、ジョブからＤＰＡデータを抽出しＤＰＡ変換部に入
力する。ＤＰＡ変換部は、ＤＰＡデータをＰＤＬのデータに変換してＰＤＬインタプリタ
に入力する。ＰＤＬインタプリタは、データを解釈して自らの内部状態を設定する。ＰＤ
Ｌインタプリタがデータの解釈を完了すると、コントローラがＰＤＬデータをＰＤＬイン
タプリタに入力する。この結果、ＰＤＬデータはＤＰＡデータの設定に基づいて処理され
るという装置である。
【０００６】
また、特許文献２には、実際の印刷結果を容易かつ正確に把握できる新規なプレビュー
装置が記載されている。この装置は、印刷データと印刷設定情報とに基づいて、実際の印
刷物に相当する印刷媒体の画像とその印刷媒体上に形成される印刷内容に関する画像とか
らなるイメージ画像を生成し、作成されたイメージ画像を所定の動画パターンで動的に表
示し、これによって、プレビューを見るだけで実際の印刷結果を容易かつ正確に把握でき
るため、印刷設定ミスなどが発生したときは、それを容易かつ正確に把握することができ
る装置である。この装置は、動画によって印刷ジョブ定義データの内容を提示するので、
設定された印刷ジョブ定義データによる印刷出力がどのような結果になるかを、動画情報
により理解し易く提示することができる装置である。
【特許文献１】特開平１０−１２４２７２
【特許文献２】特開２００６−１９２５８０
【発明の開示】
【発明が解決しようとする課題】
【０００７】
しかしながら、特許文献１記載の発明においては、変換の必要性や変換例などは、複数
の文献により既知であるが、その際、最適な（妥当な）変換が一意に決まらず、利用者に
とって所望の変換が行われないという課題がある。
また、仕様評価値算出手段や装置評価値算出手段を用いる手法が提案されているが、こ
の手法においても、仕様通りの仕上がりを実現する印刷装置設定データへの変換ができな
い場合がある。このような場合には、所定の評価値に基づき、最も仕様通りに近い印刷装
置設定データへの変換が必要となるが、仕様通りに近い印刷装置設定データでの印刷結果
においても、一般に、利用者が希望する結果にはなるとは限らない。従って、その都度、
利用者の確認が必要となるという課題がある。
【０００８】
また、特許文献２に記載の発明では、印刷ジョブ定義データの変換処理によって、複数
の印刷装置設定データ候補を扱う場合には、新たな課題として、元設定と変換後との差異
を比較することが必要になるという課題がある。
本発明は、上記事情を鑑みてなされたものであって、利用者が、印字処理前に、所望の
印刷結果が得られるかどうか、所望通りでない場合における変更点を、確認／選択するこ
とを可能にし、変換処理による印刷ミスを無くすことができる印刷制御システム、印刷制
御装置、印刷制御方法、印刷制御プログラム、及び記録媒体を提供することを目的として
いる。
【課題を解決するための手段】
【０００９】
〔形態１〕  上記目的を達成するために、形態１の印刷制御システムは、
印刷ジョブに関する情報である印刷ジョブ定義データと、印刷処理の対象となる電子的
な文書データであるコンテンツデータとを含む印刷データを入力し、印刷装置を制御する
印刷制御システムであって、
入力された印刷データを、印刷ジョブ定義データとコンテンツデータとに分離するデー
タ分離部と、
前記印刷ジョブ定義データを、印刷装置を設定する際に用いるデータの候補として、複
数の印刷装置設定データに変換する印刷装置設定データ変換部と、
前記印刷装置設定データ変換部によって変換された複数の印刷装置設定データを利用者
が確認して選択できるように提示する変換候補選択部と、
前記データ分離部、前記印刷装置設定データ変換部、及び前記変換候補選択部の各部の
動作及び前記印刷装置への出力を制御する制御部と、
を備えたことを特徴とする。
【００１０】
この構成によれば、印刷装置設定データ変換部により、印刷ジョブ定義データを、印刷
装置を設定する際に用いるデータの候補として、複数の印刷装置設定データに変換し、変
換候補選択部により、印刷装置設定データ変換部によって変換された複数の印刷装置設定
データを利用者が確認して選択できるように提示するので、利用者は、印字処理前に、所
望の印刷結果が得られるかどうか、また、所望通りでない場合における変更点を確認また
は選択することができ、変換処理による印刷ミスを低減することができるという効果が得
られる。
なお、「印刷ジョブ定義データ」とは、一般に、印刷ジョブに関する情報をいい、「印
刷ジョブ仕様データ」と「印刷ジョブ設定データ」などをいう。
【００１１】
「印刷ジョブ仕様データ」は、「印刷仕様情報」といい、印刷処理によって最終生成物
として所望する印刷物の仕様が記載された情報を言う。具体的には、仕上がり用紙サイズ
、印刷媒体の種類、折り方および裁断方法、綴じ位置、綴じ方、両面印刷方法、印刷対象
となる文書データおよびページ、並びに使用するインクに関する情報が含まれる。印刷仕
様情報は、最終成果物の仕様のみ記述すればよく、印刷設定情報は記述されない。換言す
れば、印刷仕様情報だけでは印刷装置を自動稼動させることはできず、何らかの形で印刷
仕様情報からその仕様を満たすような印刷設定情報に変換を行う必要がある。
【００１２】
「印刷ジョブ設定データ」は、「印刷設定情報」といい、印刷処理における印刷装置の
詳細な設定情報をいう。具体的には、例えば、面付け（折り、裁断を経て仕上がり用紙サ
イズになるように、用紙の一面に複数ページを割り付けて、印刷すること）する際に、用
いる用紙のサイズ、面付け方法、面付けにおける詳細な座標情報、折り方法および裁断位
置に関する情報が含まれる。印刷設定情報に含まれる設定情報の中には印刷仕様情報と重
複する情報もある。
【００１３】
また、「コンテンツデータ」とは、印刷仕様情報に関連付けられた文書データをいい、
印刷仕様に基づいた印刷処理の対象となる電子的な文書データをいう。関連付けの方法は
、印刷仕様情報の中に直接文書が埋め込まれていても良いし、印刷仕様情報にはＵＲＬ（
Ｕｎｉｆｏｒｍ  Ｒｅｓｏｕｒｃｅ  Ｌｏｃａｔｏｒ）や、ファイルパスなどの文書デー
タの所在のみが記載されていれも良い。また、印刷仕様情報に複数の文書が関連付けられ
ていても良い。また、文書データ全ページだけでなく、特定のページのみ関連付けられて
いても良い。
【００１４】
〔形態２〕  形態２の発明は、形態１の印刷制御システムに係り、
前記印刷装置設定データ変換部は、前記複数の印刷装置設定データの中から元仕様に近
い候補として複数の代替候補を選択することを特徴とする。
この構成によれば、印刷装置設定データ変換部は、前記複数の印刷装置設定データの中
から元仕様に近い候補として複数の代替候補を選択するので、変換候補選択部は、複数の
代替候補を含む印刷装置設定データを利用者が選択する候補として提示し、代替候補のう
ち利用者がいずれかを選択できるので、利用者は、印字処理前に、所望の印刷結果が得ら
れるかどうか、また、所望通りでない場合における変更点を、代替候補によって容易に確
認／選択することができるという効果が得られる。
【００１５】
〔形態３〕  形態３の発明は、形態２の印刷制御システムに係り、
前記印刷装置設定データ変換部は、前記複数の代替候補を選択する際、前記複数の印刷
装置設定データの元仕様に対する所定の評価値を算出し、前記所定の評価値に基づいて前
記元仕様に近いものを代替候補として選択することを特徴とする。
この構成によれば、複数の印刷装置設定データの元仕様に対する所定の評価値を算出す
ることによって代替候補を選択できるので、客観的な代替候補を提示することができると
いう効果が得られる。
【００１６】
〔形態４〕  形態４の発明は、形態３の印刷制御システムに係り、
前記変換候補選択部は、前記複数の代替候補に係る印刷装置設定データと、前記元仕様
に基づいて変換された印刷装置設定データとを比較するための差異情報を提示することを
特徴とする。
この構成によれば、複数の代替候補に係る印刷装置設定データと、元仕様に基づいて変
換された印刷装置設定データとを比較するための差異情報を提示するので、複数の代替候
補を扱う場合、元設定と変換後との差異を比較することにより、確実に所望の印刷結果を
得ることができるという効果が得られる。
【００１７】
〔形態５〕  形態５の発明は、形態４の印刷制御システムに係り、
前記差異情報は、文字情報、イメージ図、または動画のいずれの組み合わせによっても
提示可能であることを特徴とする。
この構成によれば、差異情報は、文字情報、イメージ図、または動画のいずれの組み合
わせによっても提示可能し、文字情報によって元仕様に対してどの部分が変更されるポイ
ントなのかという変更点を提示するので、その差異を理解し易くなり、かつ、イメージ図
または動画によって１目で理解できるので、利用者は混乱せずに代替候補を選択すること
ができるという効果が得られる。
【００１８】
〔形態６〕  形態６の発明は、形態４または５の印刷制御システムに係り、
前記差異情報は、前記差異情報以外の付随情報をさらに提示可能であることを特徴とす
る。
この構成によれば、差異情報以外の付随情報をさらに提示可能であるので、選択する際の
判断の基準として参考になり、変更点の指摘ミスなどの場合にも、容易に対処できるとい
う効果が得られる。
【００１９】
〔形態７〕  形態７の発明は、形態６の印刷制御システムに係り、
前記付随情報は、後工程で必要となる追加の作業内容を示す後工程情報、及び注意点を
含むことを特徴とする。
この構成によれば、後工程で必要となる追加の作業内容を示す後工程情報、及び注意点
を含むので、利用者にとって現時点で知りえない情報を得ることができ、選択する際の判
断の基準として参考になり、変更点の指摘ミスなどの場合にも、容易に対処できるという
効果が得られる。
【００２０】
〔形態８〕  形態８の印刷制御装置は、
印刷ジョブに関する情報である印刷ジョブ定義データと、印刷処理の対象となる電子的
な文書データであるコンテンツデータとを含む印刷データを入力し、印刷装置を制御する
印刷制御装置であって、
入力された印刷データを、印刷ジョブ定義データとコンテンツデータとに分離するデー
タ分離部と、
前記印刷ジョブ定義データを、印刷装置を設定する際に用いるデータの候補として、複
数の印刷装置設定データに変換する印刷装置設定データ変換部と、
前記印刷装置設定データ変換部によって変換された複数の印刷装置設定データを利用者
が確認して選択できるように提示する変換候補選択部と、
前記データ分離部、前記印刷装置設定データ変換部、及び前記変換候補選択部の各部の
動作及び前記印刷装置への出力を制御する制御部と、
を備えたことを特徴とする。
【００２１】
この構成によれば、印刷装置設定データ変換部により、印刷ジョブ定義データを、印刷
装置を設定する際に用いるデータの候補として、複数の印刷装置設定データに変換し、変
換候補選択部により、印刷装置設定データ変換部によって変換された複数の印刷装置設定
データを利用者が確認して選択できるように提示するので、利用者は、印字処理前に、所
望の印刷結果が得られるかどうか、また、所望通りでない場合における変更点を確認また
は選択することができ、変換処理による印刷ミスを低減することができるという効果が得
られる。
【００２２】
〔形態９〕  形態９の発明は、形態８の印刷制御装置に係り、
前記印刷装置設定データ変換部は、前記複数の印刷装置設定データの中から元仕様に近
い候補として複数の代替候補を選択することを特徴とする。
この構成によれば、印刷装置設定データ変換部は、前記複数の印刷装置設定データの中
から元仕様に近い候補として複数の代替候補を選択するので、変換候補選択部は、複数の
代替候補を含む印刷装置設定データを利用者が選択する候補として提示し、代替候補のう
ち利用者がいずれかを選択できるので、利用者は、印字処理前に、所望の印刷結果が得ら
れるかどうか、また、所望通りでない場合における変更点を、代替候補によって容易に確
認／選択することができるという効果が得られる。
【００２３】
〔形態１０〕  形態１０の発明は、形態９の印刷制御装置に係り、
前記印刷装置設定データ変換部は、前記複数の代替候補を選択する際、前記複数の印刷
装置設定データの元仕様に対する所定の評価値を算出し、前記所定の評価値に基づいて前
記元仕様に近いものを代替候補として選択することを特徴とする。
この構成によれば、複数の印刷装置設定データの元仕様に対する所定の評価値を算出す
ることによって代替候補を選択できるので、客観的な代替候補を提示することができると
いう効果が得られる。
【００２４】
〔形態１１〕  形態１１の発明は、形態１０の印刷制御装置に係り、
前記変換候補選択部は、前記複数の代替候補に係る印刷装置設定データと、前記元仕様
に基づいて変換された印刷装置設定データとを比較するための差異情報を提示することを
特徴とする。
この構成によれば、複数の代替候補に係る印刷装置設定データと、元仕様に基づいて変
換された印刷装置設定データとを比較するための差異情報を提示するので、複数の代替候
補を扱う場合、元設定と変換後との差異を比較することにより、確実に所望の印刷結果を
得ることができるという効果が得られる。
【００２５】
〔形態１２〕  形態１２の発明は、形態１１の印刷制御装置に係り、
前記差異情報は、文字情報、イメージ図、または動画のいずれの組み合わせによっても
提示可能であることを特徴とする。
この構成によれば、差異情報は、文字情報、イメージ図、または動画のいずれの組み合
わせによっても提示可能し、文字情報によって元仕様に対してどの部分が変更されるポイ
ントなのかという変更点を提示するので、その差異を理解し易くなり、かつ、イメージ図
または動画によって１目で理解できるので、利用者は混乱せずに代替候補を選択すること
ができるという効果が得られる。
【００２６】
〔形態１３〕  形態１３の発明は、形態１１または１２の印刷制御装置に係り、
前記差異情報は、前記差異情報以外の付随情報をさらに提示可能であることを特徴とす
る。
この構成によれば、差異情報以外の付随情報をさらに提示可能であるので、選択する際の
判断の基準として参考になり、変更点の指摘ミスなどの場合にも、容易に対処できるとい
う効果が得られる。
【００２７】
〔形態１４〕  形態１４の発明は、形態１３の印刷制御装置に係り、
前記付随情報は、後工程で必要となる追加の作業内容を示す後工程情報、及び注意点を
含むことを特徴とする。
この構成によれば、後工程で必要となる追加の作業内容を示す後工程情報、及び注意点
を含むので、利用者にとって現時点で知りえない情報を得ることができ、選択する際の判
断の基準として参考になり、変更点の指摘ミスなどの場合にも、容易に対処できるという
効果が得られる。
【００２８】
〔形態１５〕  形態１５の印刷制御方法は、
印刷ジョブに関する情報である印刷ジョブ定義データと、印刷処理の対象となる電子的
な文書データであるコンテンツデータとを含む印刷データを入力し、印刷装置を制御する
印刷制御方法であって、
入力された印刷データを、印刷ジョブ定義データとコンテンツデータとに分離するデー
タ分離ステップと、
前記印刷ジョブ定義データを、印刷装置を設定する際に用いるデータの候補として、複
数の印刷装置設定データに変換する印刷装置設定データ変換ステップと、
前記印刷装置設定データ変換ステップによって変換された複数の印刷装置設定データを
利用者が確認して選択できるように提示する変換候補選択ステップと、
前記データ分離ステップ、前記印刷装置設定データ変換ステップ、及び前記変換候補選
択ステップの各部の動作及び前記印刷装置への出力を制御する制御ステップと、
を含むことを特徴とする。
【００２９】
この構成によれば、印刷装置設定データ変換ステップにより、印刷ジョブ定義データを
、印刷装置を設定する際に用いるデータの候補として、複数の印刷装置設定データに変換
し、変換候補選択ステップにより、印刷装置設定データ変換ステップによって変換された
複数の印刷装置設定データを利用者が確認して選択できるように提示するので、利用者は
、印字処理前に、所望の印刷結果が得られるかどうか、また、所望通りでない場合におけ
る変更点を確認または選択することができ、変換処理による印刷ミスを低減することがで
きるという効果が得られる。
【００３０】
〔形態１６〕  形態１６の発明は、形態１５の印刷制御方法に係り、
前記印刷装置設定データ変換ステップは、前記複数の印刷装置設定データの中から元仕
様に近い候補として複数の代替候補を選択することを特徴とする。
この構成によれば、印刷装置設定データ変換ステップは、前記複数の印刷装置設定デー
タの中から元仕様に近い候補として複数の代替候補を選択するので、変換候補選択ステッ
プは、複数の代替候補を含む印刷装置設定データを利用者が選択する候補として提示し、
代替候補のうち利用者がいずれかを選択できるので、利用者は、印字処理前に、所望の印
刷結果が得られるかどうか、また、所望通りでない場合における変更点を、代替候補によ
って容易に確認／選択することができるという効果が得られる。
【００３１】
〔形態１７〕  形態１７の発明は、形態１６の印刷制御方法に係り、
前記印刷装置設定データ変換ステップは、前記複数の代替候補を選択する際、前記複数
の印刷装置設定データの元仕様に対する所定の評価値を算出し、前記所定の評価値に基づ
いて前記元仕様に近いものを代替候補として選択することを特徴とする。
この構成によれば、複数の印刷装置設定データの元仕様に対する所定の評価値を算出す
ることによって代替候補を選択できるので、客観的な代替候補を提示することができると
いう効果が得られる。
【００３２】
〔形態１８〕  形態１８の発明は、形態１７の印刷制御方法に係り、
前記変換候補選択ステップは、前記複数の代替候補に係る印刷装置設定データと、前記
元仕様に基づいて変換された印刷装置設定データとを比較するための差異情報を提示する
ことを特徴とする。
この構成によれば、複数の代替候補に係る印刷装置設定データと、元仕様に基づいて変
換された印刷装置設定データとを比較するための差異情報を提示するので、複数の代替候
補を扱う場合、元設定と変換後との差異を比較することにより、確実に所望の印刷結果を
得ることができるという効果が得られる。
【００３３】
〔形態１９〕  形態１９の発明は、形態１８の印刷制御方法に係り、
前記差異情報は、文字情報、イメージ図、または動画のいずれの組み合わせによっても
提示可能であることを特徴とする。
この構成によれば、差異情報は、文字情報、イメージ図、または動画のいずれの組み合
わせによっても提示可能し、文字情報によって元仕様に対してどの部分が変更されるポイ
ントなのかという変更点を提示するので、その差異を理解し易くなり、かつ、イメージ図
または動画によって１目で理解できるので、利用者は混乱せずに代替候補を選択すること
ができるという効果が得られる。
【００３４】
〔形態２０〕  形態２０の発明は、形態１８または１９の印刷制御方法に係り、
前記差異情報は、前記差異情報以外の付随情報をさらに提示可能であることを特徴とす
る。
この構成によれば、差異情報以外の付随情報をさらに提示可能であるので、選択する際
の判断の基準として参考になり、変更点の指摘ミスなどの場合にも、容易に対処できると
いう効果が得られる。
【００３５】
〔形態２１〕  形態２１の発明は、形態２０の印刷制御方法に係り、
前記付随情報は、後工程で必要となる追加の作業内容を示す後工程情報、及び注意点を
含むことを特徴とする。
この構成によれば、後工程で必要となる追加の作業内容を示す後工程情報、及び注意点
を含むので、利用者にとって現時点で知りえない情報を得ることができ、選択する際の判
断の基準として参考になり、変更点の指摘ミスなどの場合にも、容易に対処できるという
効果が得られる。
【００３６】
〔形態２２〕  形態２２の印刷制御プログラムは、
印刷ジョブに関する情報である印刷ジョブ定義データと、印刷処理の対象となる電子的
な文書データであるコンテンツデータとを含む印刷データを入力し、印刷装置を制御する
印刷制御プログラムであって、
入力された印刷データを、印刷ジョブ定義データとコンテンツデータとに分離するデー
タ分離手段、
前記印刷ジョブ定義データを、印刷装置を設定する際に用いるデータの候補として、複
数の印刷装置設定データに変換する印刷装置設定データ変換手段、
前記印刷装置設定データ変換手段によって変換された複数の印刷装置設定データを利用
者が確認して選択できるように提示する変換候補選択手段、及び
前記データ分離手段、前記印刷装置設定データ変換手段、及び前記変換候補選択手段の
各部の動作及び前記印刷装置への出力を制御する制御手段として実現される処理をコンピ
ュータに実行させるためのプログラムであることを特徴とする。
【００３７】
この構成によれば、印刷装置設定データ変換手段により、印刷ジョブ定義データを、印
刷装置を設定する際に用いるデータの候補として、複数の印刷装置設定データに変換し、
変換候補選択手段により、印刷装置設定データ変換手段によって変換された複数の印刷装
置設定データを利用者が確認して選択できるように提示するので、利用者は、印字処理前
に、所望の印刷結果が得られるかどうか、また、所望通りでない場合における変更点を確
認または選択することができ、変換処理による印刷ミスを低減することができるという効
果が得られる。
【００３８】
〔形態２３〕  形態２３の発明は、形態２２の印刷制御プログラムに係り、
前記印刷装置設定データ変換手段は、前記複数の印刷装置設定データの中から元仕様に
近い候補として複数の代替候補を選択することを特徴とする。
この構成によれば、印刷装置設定データ変換手段は、前記複数の印刷装置設定データの
中から元仕様に近い候補として複数の代替候補を選択するので、変換候補選択手段は、複
数の代替候補を含む印刷装置設定データを利用者が選択する候補として提示し、代替候補
のうち利用者がいずれかを選択できるので、利用者は、印字処理前に、所望の印刷結果が
得られるかどうか、また、所望通りでない場合における変更点を、代替候補によって容易
に確認／選択することができるという効果が得られる。
【００３９】
〔形態２４〕  形態２４の発明は、形態２３の印刷制御プログラムに係り、
前記印刷装置設定データ変換手段は、前記複数の代替候補を選択する際、前記複数の印
刷装置設定データの元仕様に対する所定の評価値を算出し、前記所定の評価値に基づいて
前記元仕様に近いものを代替候補として選択することを特徴とする。
この構成によれば、複数の印刷装置設定データの元仕様に対する所定の評価値を算出す
ることによって代替候補を選択できるので、客観的な代替候補を提示することができると
いう効果が得られる。
【００４０】
〔形態２５〕  形態２５の発明は、形態２４の印刷制御プログラムに係り、
前記変換候補選択手段は、前記複数の代替候補に係る印刷装置設定データと、前記元仕
様に基づいて変換された印刷装置設定データとを比較するための差異情報を提示すること
を特徴とする。
この構成によれば、複数の代替候補に係る印刷装置設定データと、元仕様に基づいて変
換された印刷装置設定データとを比較するための差異情報を提示するので、複数の代替候
補を扱う場合、元設定と変換後との差異を比較することにより、確実に所望の印刷結果を
得ることができるという効果が得られる。
【００４１】
〔形態２６〕  形態２６の発明は、形態２５の印刷制御プログラムに係り、
前記差異情報は、文字情報、イメージ図、または動画のいずれの組み合わせによっても
提示可能であることを特徴とする。
この構成によれば、差異情報は、文字情報、イメージ図、または動画のいずれの組み合
わせによっても提示可能し、文字情報によって元仕様に対してどの部分が変更されるポイ
ントなのかという変更点を提示するので、その差異を理解し易くなり、かつ、イメージ図
または動画によって１目で理解できるので、利用者は混乱せずに代替候補を選択すること
ができるという効果が得られる。
【００４２】
〔形態２７〕  形態２７の発明は、形態２５または２６の印刷制御プログラムに係り、
前記差異情報は、前記差異情報以外の付随情報をさらに提示可能であることを特徴とす
る。
この構成によれば、差異情報以外の付随情報をさらに提示可能であるので、選択する際の
判断の基準として参考になり、変更点の指摘ミスなどの場合にも、容易に対処できるとい
う効果が得られる。
【００４３】
〔形態２８〕  形態２８の発明は、形態２７の印刷制御プログラムに係り、
前記付随情報は、後工程で必要となる追加の作業内容を示す後工程情報、及び注意点を
含むことを特徴とする。
この構成によれば、後工程で必要となる追加の作業内容を示す後工程情報、及び注意点
を含むので、利用者にとって現時点で知りえない情報を得ることができ、選択する際の判
断の基準として参考になり、変更点の指摘ミスなどの場合にも、容易に対処できるという
効果が得られる。
【００４４】
〔形態２９〕  形態２９の記録媒体は、形態２２〜２８のいずれか１に記載の印刷制御
プログラムを記録したことを特徴とする記録媒体である。
この構成によれば、印刷装置設定データ変換ステップにより、印刷ジョブ定義データを
、印刷装置を設定する際に用いるデータの候補として、複数の印刷装置設定データに変換
し、変換候補選択ステップにより、印刷装置設定データ変換ステップによって変換された
複数の印刷装置設定データを利用者が確認して選択できるように提示するので、利用者は
、印字処理前に、所望の印刷結果が得られるかどうか、また、所望通りでない場合におけ
る変更点を確認または選択することができ、変換処理による印刷ミスを低減することがで
きるという効果が得られる。
【発明を実施するための最良の形態】
【００４５】
以下、図面を参照して本発明の実施形態に係る印刷制御システムについて説明する。
［構成］
まず、図１を参照して、本発明の実施形態に係る印刷制御システムの構成について説明
する。
図１は、本発明の実施形態に係る印刷制御システムの構成を示すブロック図である。
【００４６】
入力される印刷データは、コンテンツデータと印刷ジョブ定義データとから構成されて
いる。印刷ジョブ定義データは、印刷ジョブ仕様データと印刷ジョブ設定データとが含ま
れ、ＤＰＡ（Ｄｏｃｕｍｅｎｔ  Ｐｒｉｎｔｉｎｇ  Ａｐｐｌｉｃａｔｉｏｎ）、ＪＤＦ
（Ｊｏｂ  Ｄｅｆｉｎｉｔｉｏｎ  Ｆｏｒｍａｔ）等と呼ばれる。印刷ジョブ仕様データ
は、印刷仕様情報ともいい、印刷処理によって最終成果物として所望する印刷物の仕様が
記載された情報をいう。また、印刷設定情報とは、印刷処理に用いる印刷装置の詳細な設
定情報をいう。コンテンツデータとは、印刷仕様データによって関連付けられた文書デー
タであり、印刷処理に基づいた印刷処理の対象となる電子的な文書データをいい、アプリ
ケーションが出力する印刷データや、ページ記述言語（ＰＤＦ（Ｐｏｒｔａｂｌｅ  Ｄｏ
ｃｕｍｅｎｔ  Ｆｏｒｍａｔ）やＰｏｓｔＳｃｒｉｐｔなど）によって記述されるデータ
である。
【００４７】
本実施形態では、印刷ジョブ定義データとコンテンツデータとを含む印刷データを入力
とした場合の例について説明する。
この印刷制御システム１は、制御部１１と、データ分離部１２と、印刷装置設定データ
変換部１３と、変換候補選択部１４と、印刷装置１５とを備える。
【００４８】
次に、各部の機能について説明する。
まず、印刷ジョブ定義データとコンテンツデータとを含む印刷データが印刷制御システ
ム１のデータ分離部１２に入力される。
データ分離部１２は、入力された印刷データから、コンテンツデータと印刷ジョブ定義
データとを分離して取り出す。例えば、ＭＩＭＥ（Ｍｕｌｔｉｐｕｒｐｏｓｅ  Ｉｎｔｅ
ｒｎｅｔ  ｍａｉｌ  Ｅｘｔｅｎｓｉｏｎｓ）エンコードされたデータならば、ＭＩＭＥ
デコード分離する。一方、印刷ジョブ定義データとコンテンツデータとが別々のデータと
して入力された場合は、それぞれのデータブロックの特徴的な部分を検出することによっ
てデータの種類を認識し、分離して取り出す。
【００４９】
印刷装置設定データ変換部１３は、印刷ジョブ定義データを、印刷装置を設定する際に
用いるデータの候補として、複数の印刷装置設定データに変換する。具体的には、印刷ジ
ョブ定義データを、印刷を実行する際のデータ（パラメータ）に変換し、その変換過程に
おいて元仕様に対する評価値を算出し、複数の変換候補を生成する。変換された複数の印
刷装置設定データ候補は、制御部１１を通して、変換候補選択部１４に渡される。
【００５０】
変換候補選択部１４は、印刷装置設定データ変換部１３によって変換された複数の印刷
装置設定データを利用者が確認して選択できるように提示する。すなわち、利用者が変換
候補を選択できるように、利用者確認ダイアログ等により変換候補を提示する。そして、
利用者が変換候補を選択した後は、制御部１１に送出する。また、選択すべき変換候補が
ない場合は、印字処理をキャンセルできるようにダイアログを構成しておく。
【００５１】
制御部１１は、データ分離部１２、印刷装置設定データ変換部１３、及び変換候補選択
部１４の各部の動作の制御を行うほか、変換された印刷装置設定データとコンテンツデー
タとを印刷装置１５に送出し、印字を実行させる。同時に、制御部１１は、印刷装置設定
データに従って印刷装置１５に対する設定を行うこともできる。この設定とは、用紙トレ
イの選択、両面プリントの設定、使用する色の選択などを含む。また、印字処理がキャン
セルされた場合には、印字処理を中止する。
【００５２】
印刷装置１５は、制御部１１から送られた、利用者が選択した変換候補に基づいて印字
処理を行う。
本発明においては、特に、印刷ジョブ定義データに含まれる印刷ジョブ使用データや印
刷ジョブ設定データを、印刷時に必要な印刷装置設定データに変換する印刷装置設定デー
タ変換部と、変換された複数の印刷装置設定データ候補を利用者確認する変換候補選択部
１４との２つの構成を有することにより、利用者は印字処理時に所望の印刷結果が得られ
るかどうか、所望通りでない場合における変更点を、確認／選択することが可能となり、
変換処理による印刷ミスをなくすることができる。
【００５３】
また、変換された複数の印刷装置設定データ候補は、入力通りの使用を実現する変換で
はなく、第一、第二、第三、…という代替候補である場合がある。その場合、元仕様に対
して、代替候補のどの部分が変更される（妥協される）ポイントなのかを理解しやすく提
示することにより、利用者は混乱せずに再度所望の印刷方法を選択することができる。
なお、変換候補選択部１４は、元仕様と変換後の出力仕様とを比較できるイメージ図（
動画を含む）と、変換後の注意点に対する情報を提示する方式であっても良い。また、変
換された印刷装置データに加えて後処理工程で必要となる作業内容（例えば、裁断処理や
フィニッシャーなどでの作業）を変更（妥協）ポイントして提示する方式であっても良い
。
【００５４】
なお、変換された印刷装置設定データ以外の付随情報（注意点、差異情報、後工程情報
）については、印刷装置設定データ変換部１３からの変換候補結果に当該情報が含まれて
いるものとする。ただし、印刷装置設定データ変換部１３における内部処理については、
本発明の主たるところではなく、出力仕様として、付随情報を出力するものとする。
なお、本実施形態では、これらの各処理部が通信可能に接続されてなるもので、それぞ
れ処理部が独立の装置であっても、複数の装置に各処理部が分離されても、あるいは、単
一の装置に全ての処理部が含まれても構わない。
【００５５】
図２は、コンピュータシステムのハードウェア構成を示す機能ブロック図である。
ここで、この印刷制御システム１は、印刷のための各種制御やデータ分離部１２、印刷
装置設定データ変換部１３、及び変換候補選択部１４などをソフトウェア上で実現するた
めのコンピュータシステムを備えており、そのハードウェア構成は、図２に示すように、
各種制御や演算処理を担う中央演算処理装置であるＣＰＵ（Ｃｅｎｔｒａｌ  Ｐｒｏｃｅ
ｓｓｉｎｇ  Ｕｎｉｔ）６０と、主記憶装置（Ｍａｉｎ  Ｓｔｏｒａｇｅ）を構成するＲ
ＡＭ（Ｒａｎｄｏｍ  Ａｃｃｅｓｓ  Ｍｅｍｏｒｙ）６２と、読み出し専用の記憶装置で
あるＲＯＭ（Ｒｅａｄ  Ｏｎｌｙ  Ｍｅｍｏｒｙ）６４との間をＰＣＩ（Ｐｅｒｉｐｈｅ
ｒａｌ  Ｃｏｍｐｏｎｅｎｔ  Ｉｎｔｅｒｃｏｎｎｅｃｔ）バスやＩＳＡ（Ｉｎｄｕｓｔ
ｒｉａｌ  Ｓｔａｎｄａｒｄ  Ａｒｃｈｉｔｅｃｔｕｒｅ）バス等からなる各種内外バス
６８で接続すると共に、このバス６８に入出力インターフェース（Ｉ／Ｆ）６６を介して
、ＨＤＤ（Ｈａｒｄ  Ｄｉｓｋ  Ｄｒｉｖｅ）などの外部記憶装置（Ｓｅｃｏｎｄａｒｙ
Ｓｔｏｒａｇｅ）７０や、印刷手段やＣＲＴ、ＬＣＤモニター等の出力装置７２、操作
パネルやマウス、キーボード、スキャナなどの入力装置７４、および図示しない印刷指示
装置などと通信するためのネットワークＬなどを接続したものである。
【００５６】
そして、電源を投入すると、ＲＯＭ６４等に記憶されたＢＩＯＳ等のシステムプログラ
ムが、ＲＯＭ６４に予め記憶された各種専用のコンピュータプログラム、あるいは、ＣＤ
−ＲＯＭやＤＶＤ−ＲＯＭ、フレキシブルディスク（ＦＤ）などの記憶媒体を介して、ま
たはインターネットなどの通信ネットワークＬを介して記憶装置７０にインストールされ
た各種専用のコンピュータプログラムを同じくＲＡＭ６２にロードし、そのＲＡＭ６２に
ロードされたプログラムに記述された命令に従ってＣＰＵ６０が各種リソースを駆使して
所定の制御および演算処理を行うことで前述したような各手段の各機能をソフトウェア上
で実現できるようになっている。
【００５７】
［印刷処理の流れ］
次に、図３を参照して、本発明の実施形態に係る印刷処理の全体の流れについて説明す
る。
図３は、本発明の実施形態に係る印刷処理の全体の流れを示すフローチャートである。
まず、ステップＳ２１において、印刷ジョブ定義データとコンテンツデータとを含む印
刷データの入力を行い、ステップＳ２２において、入力された印刷データをデータ分離部
１２にて分離して、印刷ジョブ定義データを取得する。次に、ステップＳ２３において、
取得した印刷ジョブ定義データを印刷装置設定データ変換部１３にて、印刷装置設定デー
タに変換する。次に、ステップＳ２４において、変換された印刷装置設定データを複数用
意し、その中から利用者が選択できるように、変換候補選択部１４にて、複数の印刷装置
設定データの選択表示を行い、利用者が選択＆実行を行った後は、ステップＳ２６におい
て、制御部１１にて、印刷装置設定データとコンテンツデータとを印刷装置１５へ送出し
て、ステップＳ２７において、印刷装置１５にて印字処理が実行され、終了する。また、
ステップＳ２４において、利用者が選択＆実行を行わずにキャンセルした場合は、ステッ
プＳ２５において、制御部１１にて印刷キャンセル処理を行う。
【００５８】
すなわち、本発明の印刷制御方法のステップとしては、印刷ジョブに関する情報である
印刷ジョブ定義データと、印刷処理の対象となる電子的な文書データであるコンテンツデ
ータとを含む印刷データを入力するステップと、入力された印刷データを、印刷ジョブ定
義データとコンテンツデータとに分離するデータ分離ステップと、印刷ジョブ定義データ
を、印刷装置を設定する際に用いるデータの候補として、複数の印刷装置設定データに変
換する印刷装置設定データ変換ステップと、印刷装置設定データ変換ステップによって変
換された複数の印刷装置設定データを利用者が確認して選択できるように提示する変換候
補選択ステップと、上記データ分離ステップ、印刷装置設定データ変換ステップ、及び変
換候補選択ステップの各部の動作及び印刷装置への出力を制御する制御ステップとを含む
ことを特徴とする。
【００５９】
以上のようにして、印刷装置設定データ変換部１３は、複数の印刷装置設定データの中
から元仕様に近い候補として複数の代替候補を選択するので、変換候補選択部１４は、複
数の代替候補を含む印刷装置設定データを利用者が選択する候補として提示し、代替候補
のうち利用者がいずれかを選択できるので、利用者は、印字処理前に、所望の印刷結果が
得られるかどうか、また、所望通りでない場合における変更点を、代替候補によって容易
に確認／選択することができる。
【００６０】
［変換例に関する説明］
次に、図４乃至図６を参照して、印刷データの変換例について説明する。
図４は、印刷データの一例を示す図であり、（ａ）はコンテンツデータ、（ｂ）は印刷
ジョブ定義データを示す。図５は、変換後の印刷装置設定データを示し、図６は、変換前
後のコンテンツデータを示す図である。
【００６１】
まず、印刷装置設定データ変換部１３は、印刷ジョブ定義データを、印刷を実行するた
め際のパラメータに変換する。これは、仕上がりの体裁を指定した印刷ジョブ定義データ
として、Ａ４サイズのコンテンツデータを、２つ折りでＡ４に仕上げる、と指定した場合
、これの仕様を実現するためには、Ａ３の用紙の各面の２ページずつ面付けしてプリント
するように変換することを意味している。
【００６２】
図４（ａ）のコンテンツデータは、変換前のコンテンツデータであって、紙面に向かっ
て左から順に、「壱頁、弐頁、参頁、四頁」と配列されている。また、図４（ｂ）の印刷
ジョブ定義データの内容は、仕上がりサイズ：Ａ４、紙の向き：縦、製本：２つ折り・左
、コンテンツページサイズ：Ａ４というデータが含まれている。そして、印刷装置設定デ
ータ変換部１３によって、上記印刷ジョブ定義データを印刷装置設定データに変換される
。印刷装置設定データとしては、頁レイアウトの要素として、ページ番号、枚数、面番号
、ｘ座標、ｙ座標が上げられ、これらをまとめて、（ｐａｇｅ，ｓｈｅｅｔ，ｆａｃｅ，
ｘ，ｙ）と表示している。図５においては、用紙サイズ：Ａ３、紙の向き：横、両面印
刷：ＯＮ、拡大／縮小：ＯＦＦ、割付頁数：４、頁レイアウト（ｐａｇｅ，ｓｈｅｅｔ，
ｆａｃｅ，ｘ，ｙ）、（１，１．１，５９５，０）、（２，１．２，０，０）、（３，１
．２，５０５．０）（４，１．１，０．０）と変換されている。この例の印刷装置設定デ
ータにおいて、特に、頁レイアウトのデータ形式について説明すると、頁レイアウトは、
コンテンツデータの各頁を、用紙にどのようにプリントするかを記述したものである。例
えば、１つ目のデータ、（１，１．１，５９５，０）は、コンテンツデータの１頁を配置
する位置を記述したもので、はじめから順に、「コンテンツデータの１頁」、「１枚目の
用紙」、「表面（ｆａｃｅ＝１）」、「原点座標（５９５，０）」のような内容を示して
いる。すなわち、上記印刷装置設定データは、Ａ３横サイズに拡大縮小なしで４ページを
１枚両面にレイアウトする指定であり、１頁目が、第１面の（ｘ，ｙ）座標（５９５，０
）に配置され、２頁目が、第２面の（ｘ，ｙ）座標（０，０）に配置され、３頁目が、第
２面の（ｘ，ｙ）座標（５９５，０）に配置され、４頁目が、第１面の（ｘ，ｙ）座標（
０，０）に配置されるように設定されている。
【００６３】
以上のようにして、図５に示した印刷装置設定データに基づいて、図４（ａ）のコンテ
ンツデータを変換すると、図６の変換後のコンテンツデータに示すような順序に配列され
る。図６において、下段の左側は第１面（ｆａｃｅ１）、右側は第２面（ｆａｃｅ２）を
示している。また、同図においては、上段１頁から４頁まで、（１，１，１，５９５，０
）、（２，１，２，０，０）、（３，１，２，５９５，０）、（４，１，１，０，０）と
いう情報があるので、ｆａｃｅ、（ｘ，ｙ）座標を取った結果、図６に示すようなコンテ
ンツデータになる。すなわち、変換前には、横に順に、「壱頁」、「弐頁」、「参頁」、
「四頁」と配列されていたものが、変換後には、第１面の左側に「四頁」、右側に「壱頁
」、第２面の左側に「弐頁」、右側に「参頁」と配列されている。
【００６４】
［評価値についての説明］
次に、図７を参照して、変換時の評価値算出の仕組みなどについて説明する。
図７は、印刷装置設定データ候補の一覧情報を示す図である。
印刷装置設定データ変換部１３において印刷ジョブ定義データを複数の印刷装置設定デ
ータに変換するが、これら複数の印刷装置設定データの中から利用者に提示するための代
替候補を選択する際、印刷装置設定データの項目に対応するのは、図７に示すように、用
紙サイズ、紙の向き、両面印刷、拡大／縮小、割付頁数、頁レイアウトなどである。そこ
で、印刷装置設定データの各項目について取り得る全ての内容に対して、例えば、印刷装
置設定データ候補１の対応する各項目の内容を総当りで組み合わせると、各設定内容組み
合わせごとに、用紙サイズの内容が一致している場合、紙の向きが一致している場合、両
面印刷が一致している場合、拡大／縮小が一致している場合、割付頁数が一致している場
合、頁レイアウトが一致している場合は、それぞれ「１」が加算され、各設定内容組み合
わせの装置評価値が算出される。図の例では、第２段目の設定内容組み合わせについては
、紙の向き、両面印刷、拡大／縮小の内容が一致しているので、装置評価値は１＋１＋１
＝３となる。第３段目の設定内容組み合わせについては、用紙サイズ、紙の向き、両面印
刷の内容が一致しているので、同じく装置評価値は１＋１＋１＝３となる。このようにし
て、印刷装置設定データ候補１、候補２、候補３について、装置評価値を算出する。
【００６５】
以上、評価値について説明したが、印刷装置設定データの代替候補を選択するためには
、この評価値に限定されず、種々の要因に基づいて代替候補を選択することができる。
なお、変換された複数の印刷装置設定データ候補を生成する際に、印刷装置設定データ
項目毎の設定情報と、印刷ジョブ定義データの元仕様との合致性を数値で表した情報以外
に下記の情報を追加生成するものとする。
【００６６】
・  印刷ジョブ定義データの元仕様との差異に関する文字情報と画像情報（差異情報）
・  その差異に起因する注意点に関する文字情報と画像情報（注意点）
ここでは、印刷ジョブ定義データの元仕様との差異情報とは、変換過程における評価値
算出に際し、完全に合致する変換処理が行えない項目、および対応する説明画像を列挙し
たものとする。
また、差異に起因する注意点とは、完全に合致する変換処理が行えない項目を変更した
ことによる注意点を列挙したもの、および対応する説明画像を列挙したものとする。
【００６７】
次に、図８を参照して、注意点の表示方法について説明する。
まず、Ｓ８１において、印刷装置設定データとして、「用紙サイズ、紙の向き、両面印
刷、拡大／縮小、割付頁数、頁レイアウト」という各項目が設定されている場合、図の矢
印の向きにこれら各項目が変更された場合に、判別可能なフラグを有する。この判別フラ
グにより、変更された場合は「ＯＮ」とし、変更されなかった場合は「ＯＦＦ」とする。
図では、「用紙サイズ」の項目しか示していないが、この変更フラグ「ＯＮ」、「ＯＦＦ
」を「用紙サイズ、紙の向き、両面印刷、拡大／縮小、割付頁数、頁レイアウト」の各項
目についての表を作成する。
【００６８】
次に、ステップＳ８２において、各項目毎に、変更フラグを確認し、変更されている項
目の文字データを「差異情報」として出力する。具体的には、各項目別の差異情報を、い
ずれも変更なしの場合は「仕様通り」、用紙サイズが変更された場合は「用紙サイズ」、
拡大／縮小が変更された場合は「拡大／縮小」と出力する。
次に、ステップＳ８３において、上記差異情報と注意点情報データベースとを参照して
、ステップＳ８４において、差異情報に対応した注意点情報を引き出して出力する。注意
点データベースには、差異情報と各項目の組み合わせで注意点が格納されているものとす
る。
【００６９】
以上説明したように、項目番号１、２、３として、順に、用紙サイズ、「Ａ３、Ａ４，
Ａ４、紙の向き、横、横、横」とし、両面印刷、「ＯＮ、ＯＮ，ＯＮ」、拡大／縮小，「
ＯＦＦ、ＯＦＦ、５０％，割付頁数、「４、２、４」とした場合、差異情報として、順に
、「仕様通り、用紙サイズ、拡大／縮小」、注意点として、「無し、綴じ部分に注意、仕
上がりサイズが縮小」などと提示される。
【００７０】
［印刷装置設定データ候補選択方法についての説明］
次に、図９及び図１０を参照して、利用者が複数の印刷装置設定データ候補の中から所
望の印刷装置設定データ候補を選択する方法について説明する。
図９は、変換された複数の印刷装置設定データ候補の一覧情報の提示方法の一例を示
す図である。
この図を参照して、印刷装置設定データ変換部１３により生成された複数の印刷装置設
定データ候補を利用者に提示する流れについて説明する。
まず、基本構成は、単純にリスト表示して利用者へ選択させる仕組みが考えられる。
【００７１】
リスト表示では、変換された複数の印刷装置設定データ候補の一覧情報を全て表示して
も良いし、印刷ジョブ定義データの元仕様との合致性を数値で表した情報と、印刷ジョブ
定義データの元仕様との差異の文字情報のみでも構わない。
図９に示した一覧情報は、図７に対応するもので、縦方向に順に、項目番号１、項目番
号２、項目番号３について掲載し、横方向に、印刷装置設定データ項目毎の設定情報と、
印刷ジョブ定義データの元仕様との合致性を数値で表した情報と、印刷ジョブ定義データ
の元仕様との差異に関する文字情報と、差異に関する画像情報と、その差異に起因する注
意点の文字情報と、注意点の画像情報とを提示している。そして、最後に、頁レイアウト
（ｐａｇｅ，ｓｈｅｅｔ，ｆａｃｅ，ｘ，ｙ）を提示している。
【００７２】
この例では、項目番号１として、合致度は、「３」、差異情報（文字情報）は「仕様通
り」、差異情報（画像情報）は折りたたんでＡ４にされた画像情報、注意点（文字情報）
としては「無し」、注意点（画像情報）としても画像無し、用紙サイズ「Ａ３」、紙の向
き「横」、両面印刷「ＯＮ」、拡大／縮小「ＯＦＦ」、割付ページ数「４」、頁レイアウ
ト「（１，１，１，５９５，０）、（２，１，２，０，０）、（３，１，２，５９５，０
）、（４，１，１，０，０）」と表示され、項目番号２としては、合致度は、「２」、差
異情報（文字情報）は「用紙サイズ」、差異情報（画像情報）は分離された２枚のＡ４の
画像情報、注意点（文字情報）としては「綴じ部分に注意」、注意点（画像情報）として
は２枚のＡ４の用紙、用紙サイズ「Ａ４」、紙の向き「横」、両面印刷「ＯＮ」、拡大／
縮小「ＯＦＦ」、割付ページ数「２」と表示され、項目番号３としては、合致度は、「２
」、差異情報（文字情報）は「拡大／縮小」、差異情報（画像情報）は折りたたんでＡ５
にされた画像情報、注意点（文字情報）としては「仕上がりサイズが縮小」、注意点（画
像情報）としては折りたたまれてＡ５にされた用紙、用紙サイズ「Ａ４」、紙の向き「横
」、両面印刷「ＯＮ」、拡大／縮小「５０％」、割付ページ数「４」と表示されている。
【００７３】
このように、変換候補選択部１４が、元仕様と変換後の出力仕様とを比較できるイメー
ジ図（動画も含む）と、変換後の注意点に関する画像情報を提示することを特徴とする構
成における選択する仕組みが考えられる。ここで言う印刷ジョブ定義データの元仕様との
サイトは、変換過程における評価値算出に際し、完全に合致する変換処理が行えない項目
を列挙したものとする。また、差異に起因する注意点とは、完全に合致する変換処理が行
えない項目を変更したことによる注意点を列挙したものとする。利用者は、リスト表示の
内容を確認した上で、所望の印刷装置設定データ候補を選択し、実行ボタンにより、印字
処理を実行する。
図１０は、印刷装置設定データ候補選択画面の一例を示す図である。
変換候補選択部１４は、上述したように、複数の印刷装置設定データを一覧表示して、
利用者に提示できるほか、各印刷装置設定データを個別に提示して所望の印刷装置設定デ
ータが表示された時点選択できるように構成することもできる。
【００７４】
たとえば、同図に示すように、モニタ画面上に、印刷ジョブ定義データ、印刷装置設定
データ候補の差異情報および注意点について全て文字情報と画像情報を含み、印刷ジョブ
定義データとしてＡ４、印刷装置設定データ候補として、順次提示できるように＜＞のマ
ークによって他の候補を提示することができるように構成されている。画像情報について
は、実際の印刷物を模して印刷ジョブ定義データの内容を画像によって瞬時に明確に把握
できるよう、また、綴じ方、仕上がり状態を判別できるように視覚的に表示される。そし
て、利用者は差異情報及び注意点に基づいて順次候補を参照し、所望の候補が提示された
時点で、下段に設けられている「印刷実行」のボタンを押圧して、その候補を選択できる
ように構成されている。この候補画面は、あらかじめイメージデータをＲＯＭやＨＤＤな
どの不揮発性記憶装置に記憶させ、利用者のボタン操作に応じて読み出して、メインメモ
リなどにロードさせ、利用可能な状態にするようになっている。そして、利用者が選択ボ
タンとして、キーボードやマウスなどの指示入力装置を用いて、「印刷実行」を押下する
と、入力装置からの信号を受け付ける入出力インタフェース（図示せず）を介してその信
号に従って制御部１１が目的の画像情報表示するよう命令を出すことによって表示される
。また、所望の候補がなかった場合、「キャンセル」を押圧して、初期の状態に戻すこと
ができる。
【００７５】
以上のように、変換された複数の印刷装置設定データ候補において、入力通りの仕様を
実現する変換ではなく、第一、第二、第三、…という代替候補である場合においても、元
仕様に対する代替候補のどの部分が変更される（妥協する）ポイントなのかを理解しやす
く提示することにより、利用者は混乱せずに再度所望の印刷方法を選択することができる
。
【００７６】
以上説明したように、本発明の実施形態に係る印刷制御システムによれば、印刷ジョブ
定義データを印刷装置設定データに変換する印刷制御システムにおいて、利用者は、印字
処理前に、所望の印刷結果が得られるかどうか、所望通りでない場合における変更点を、
確認／選択することが可能になり、変換処理による印刷ミスを無くすことができる。
なお、上記実施形態において、図３のフローチャートに示す処理を実行するにあたって
は、ＲＯＭに予め格納されている制御プログラムを実行する場合について説明したが、こ
れに限らず、これらの手順を示したプログラムが記録された記憶媒体から、そのプログラ
ムをＲＡＭに組み込んで実行するようにしても良い。あるいは、そのプログラムをネット
ワークから取得しても良い。
【００７７】
ここで、記憶媒体とは、ＲＡＭ、ＲＯＭ等の半導体記憶媒体、ＦＤ、ＨＤ等の磁気記憶
型記憶媒体、ＣＤ、ＣＤＶ、ＬＤ、ＤＶＤ等の光学的読取方式記憶媒体、ＭＯ等の磁気記
憶型／光学的読取方式記憶媒体であって、電子的、磁気的、光学的等の読み取り方法のい
かんにかかわらず、コンピュータで読み取り可能な記憶媒体であれば、あらゆる記憶媒体
を含むものである。
【００７８】
以上、本発明の実施形態について説明してきたが、本発明は、上記実施形態に限定され
ることなく、本発明の趣旨を逸脱することなく、種々の変更が可能である。例えば、最初
に説明したように、本発明の印刷制御装置１は、印刷装置２と一体化して構成されても良
い。
また、印刷装置設定データの項目として、用紙サイズ、紙の向き、両面印刷、拡大／縮
小、割付頁数などを設定することについて説明してきたが、これに限定されず、綴じ穴の
位置、他の飾りつけの有無など種々の項目を設定の対象とすることができる。
【００７９】
また、前述した印刷装置設定データ候補選択画面においては、文字情報と画像情報を掲
示するように構成したが、これに限定されず、動画情報として、頁を開閉するときの動画
、綴じるときの動画、印刷ジョブ定義データにおけるイメージ図から印刷装置設定データ
におけるイメージ図への変換するときの面付け方法を示す動画情報などを掲示することも
できる。
【００８０】
また、本印刷制御システムは、単一の装置、端末その他の機器として実現するようにし
てもよいし、複数の装置、端末その他の機器を通信可能に接続したネットワークシステム
として実現するようにしてもよい。後者の場合、各構成要素は、それぞれ通信可能に接続
されていれば、複数の機器のいずれに属してもよい。
【図面の簡単な説明】
【００８１】
【図１】本発明の実施形態に係る印刷制御システムの構成を示すブロック図である。
【図２】コンピュータシステムのハードウェア構成を示す機能ブロック図である。
【図３】本発明の実施形態に係る印刷処理の全体の流れを示すフローチャートである。
【図４】印刷データの一例を示す図であり、（ａ）はコンテンツデータ、（ｂ）は印刷ジョブ定義データを示す。
【図５】変換後の印刷装置設定データを示す図である。
【図６】変換前後のコンテンツデータを示す図である。
【図７】印刷装置設定データ候補の一覧情報を示す図である。
【図８】注意点の表示方法について説明する図である。
【図９】複数の印刷装置設定データ候補の一覧情報の提示方法の一例を示す図である。
【図１０】印刷装置設定データ候補選択画面を示す図である。
【符号の説明】
【００８２】
１…印刷制御システム、１１…制御部、１２…データ分離部、１３…設定データ変換部
、１４…変換候補選択部、１５…印刷装置
【図１】
2008134872.tif 000003
【図２】
2008134872.tif 000004
【図３】
2008134872.tif 000005
【図４】
2008134872.tif 000006
【図５】
2008134872.tif 000007
【図６】
2008134872.tif 000008
【図７】
2008134872.tif 000009
【図８】
2008134872.tif 000010
【図９】
2008134872.tif 000011
【図１０】
2008134872.tif 000012